【事件の表示】
　特願２００５−１８５９７２「情報入力装置」拒絶査定不服審判事件〔平成１７年１１月１０日出願公開、特開２００５−３１７０４５〕について、次のとおり審決する。
【結　論】
　本件審判の請求は、成り立たない。
【理　由】
１．手続の経緯
　本願は、平成１２年１月１３日（優先権主張平成１１年８月４日）に出願した特願２０００−４９５９号の一部を平成１７年６月２７日に新たな特許出願としたものであって、平成２０年２月１日付けの拒絶の理由の通知に対して、平成２０年４月７日付けで意見書が提出されるとともに、同日付けで手続補正がなされたが、同月２４日付けで拒絶をすべき旨の査定がされ、これに対し同年６月１２日に拒絶査定不服審判の請求がなされたものである。
　
２．本願発明
　本願の請求項１に係る発明（以下「本願発明」という。）は、平成２０年４月７日付けの手続補正書の特許請求の範囲の請求項１に記載された事項により特定される、以下のとおりのものである。
　
「情報が表示された複数の入力キーを表示するタッチパネルを備えた情報入力装置において、
　前記複数の入力キーを、複数のキー情報の所定の順序通りに同一円周上に表示すると共に、
　この複数の入力キーを、使用者が情報を入力する前、若しくは一以上の情報を入力した後、の何れかの時点で、この使用者が、前記入力キーとは別に表示されたスクランブルキーを押した場合に、前記複数のキー情報の配列を変化させずに当該複数の入力キーが表示されている円の周方向に任意のキー情報の数だけ電子的に回転移動して表示されるよう構成した
　ことを特徴とする情報入力装置。」
　
３．引用例の記載
　原査定の拒絶の理由に引用された特開平６−３１８１８６号公報（平成６年１１月１５日出願公開。以下「引用例」という。）には、図面とともに次の事項が記載されている。
　
Ａ．「【０００１】
【産業上の利用分野】本発明は暗証入力により取引を行なう現金自動取引装置（以下ＡＴＭと記す）または現金自動支払機（以下ＣＤと記す）に係り、特に、前記暗証入力時の機密維持に好適な暗証入力装置に関する。
【０００２】
【従来の技術】従来、ＡＴＭ、ＣＤは一般に、キーボードから取引に必要なデータを入力するようになっている。特に、取引に先立って実施する暗証入力は、所定順序に配列されたキーボード、またはディスプレイ画面に表示されたタッチパネルから数字入力を行うものである。したがって、入力者の指先の動きから第三者に暗証番号を察知されるおそれがあり、機密保持とセキュリティ確保上で問題があった。入力者の指先の動きから暗証入力が察知されるのを防止するために、タッチパネルにプライバシーフィルターを取り付けるなどハードウェアによる解決法も考えられるが装置としては割高となる。特開平２−２４５８７１号公報には、入力キー位置を表示領域内で移動させるか、数字の順序性を変えずに、表示された数字列の先頭数字を順送りに移動して表示する装置が開示されており、特開平３−２５５６９号公報には、選択キーを押下することにより、画面上の数字を並び変える入力装置が開示されている。
【０００３】
【発明が解決しようとする課題】上記の問題点に鑑み、本発明は入力キーの数、位置を種々に移動変更するソフトウェアを採用することにより、暗証入力時の機密保持を図ることを目的としている。
【０００４】
【課題を解決するための手段】上記目的は、所定の符号キーを配列したキー入力画面から選択入力を行なう暗証入力装置において、前記キー入力画面のキー位置を特定しないことをことを特徴とする暗証入力装置によって達成される。
【０００５】
【作用】上記の構成により、利用者の動作や指先の動き見ることができないか、若しくは見ただけでは第三者が暗証番号を察知することはできない。
【０００６】
【実施例】以下、本発明をＡＴＭに適用した実施例について図を用いて説明する。図１４は、暗証入力装置を適用したＡＴＭの外観斜視図である。１はＡＴＭ、２は取引媒体であるカード出入口、３は硬貨出入口、４はＣＲＴディスプレイ、５は顧客の接近を感知する顧客センサ、６は通帳、明細票出入口、７は紙幣出入口、８は異物返却口である。図１〜図１１は、実施例１〜実施例１１の暗証入力画面を示す図、図１２は、実施例１２の暗証入力方式選択画面を示す図である。また図１３は、ＡＴＭ１の支払時の取引フローを示す実施例図である。」（第２ページ第１欄第２０行目〜同ページ第２欄第１８行目）
　
Ｂ．「【０００８】〈実施例２〉以下図２を使用して実施例２を説明する。ＡＴＭ１は、前記取引選択画面から取引を選択すると、図２（ａ）の表示入力画面にダイヤル形の入力キー１１が表示され、暗証１桁目のキー入力待ちとなる。利用者が１桁目の数値キーにタッチすると、入力キー１１は、例えば時計周りに回転し、図２（ｂ）のように押下前とは数字の異なる位置で停止する。続いて利用者は２桁目を数字を押下する。このように１桁入力毎にダイヤルキー１１が回転し入力位置は特定されずに変化する。」（第２ページ第２欄第３３行目〜同欄第４２行目）
　
Ｃ．「【００１９】
【発明の効果】本発明にの実施により、ＡＴＭ、ＣＤなどの暗証入力装置において、入力キーの数、位置を種々に移動変更するソフトウェアを採用することにより、利用者の動作や指先の動き見ることができないか、若しくは見ただけでは第三者が暗証番号を察知することはできず、利用者による暗証入力時の機密保持を図ることができる。」（第３ページ第４欄第３０行目〜同欄第３７行目）
　
　図２には、図２（ａ）の画面から図２（ｂ）の画面への遷移において、ダイヤル形の入力キー１１が５つのキー情報だけ回転移動することが記載されている。
　
　以上の記載によれば、引用例には、次の発明（以下「引用発明」という。）が記載されている。
　
「表示入力画面を有する暗証入力装置において、
　表示入力画面には、ダイヤル形の入力キー１１が表示され、
　利用者が１桁目のダイヤル形の入力キー１１にタッチすると、ダイヤル形の入力キー１１は、時計周りに回転移動し、押下前とは数字の異なる位置で停止し、
　１桁入力毎にダイヤル形の入力キー１１が回転し入力位置は特定されずに変化する、
　暗証入力装置。」
　
４．対比
　本願発明と引用発明を対比する。
　引用発明の「ダイヤル形の入力キー１１」は、本願発明の「入力キー」に相当する。また、引用発明において、ダイヤル形の入力キー１１は、複数ある。さらに、引用発明において、ダイヤル形の入力キー１１は、数字という情報を表示している。加えて、引用発明において、ダイヤル形の入力キー１１を表示している表示入力画面がタッチパネルであることは明らかである。
　引用発明の「暗証入力装置」は、本願発明の「情報入力装置」に相当する。
　引用発明において、ダイヤル形の入力キー１１が表示されているから、引用発明は、本願発明の「前記複数の入力キーを、複数のキー情報の所定の順序通りに同一円周上に表示する」構成を有しているといえる。
　引用発明の「利用者」は、本願発明の「使用者」に相当する。また、引用発明において、ダイヤル形の入力キー１１は時計周りに回転移動し、押下前とは数字の異なる位置で停止する時点は、利用者が１桁目のダイヤル形の入力キー１１にタッチした後であることは明らかであるから、引用発明の「ダイヤル形の入力キー１１は時計周りに回転移動し、押下前とは数字の異なる位置で停止」する時点は、本願発明の「使用者が一以上の情報を入力した後」の「時点」に相当する。さらに、引用発明において、ダイヤル形の入力キー１１は時計周りに回転移動し、押下前とは数字の異なる位置で停止する構成は、ダイヤル形の入力キー１１の情報の配列を変化させていないことは明らかである。そうすると、引用発明の「入力キー１１は、時計周りに回転移動し、押下前とは数字の異なる位置で停止する」構成は、本願発明の「この複数の入力キーを、使用者が情報を入力する前、若しくは一以上の情報を入力した後、の何れかの時点で、前記複数のキー情報の配列を変化させずに当該複数の入力キーが表示されている円の周方向に電子的に回転移動して表示される」構成に相当する。
　
　すると、本願発明と引用発明とは、次の点で一致する。
　
＜一致点＞
「情報が表示された複数の入力キーを表示するタッチパネルを備えた情報入力装置において、
　前記複数の入力キーを、複数のキー情報の所定の順序通りに同一円周上に表示すると共に、
　この複数の入力キーを、前記複数のキー情報の配列を変化させずに当該複数の入力キーが表示されている円の周方向に電子的に回転移動して表示されるよう構成した
　ことを特徴とする情報入力装置。」
　
　一方、両者は次の点で相違する。
＜相違点１＞
　本願発明では、複数のキー情報の配列を変化させずに当該複数の入力キーが表示されている円の周方向に電子的に回転移動して表示されるときが、使用者が情報を入力する前、若しくは一以上の情報を入力した後、の何れかの時点で、使用者が入力キーとは別に表示されたスクランブルキーを押した場合であるのに対し、引用発明では、利用者が一以上の情報を入力した後の時点であり、スクランブルキーについては記載がない点。
＜相違点２＞
　本願発明では、複数の入力キーは任意のキー情報の数だけ回転移動するのに対し、引用発明では、複数の入力キーは回転移動して数字の異なる位置で停止し、入力位置は特定されずに変化しているが、任意のキー情報の数だけ回転移動するのか明確に記載されていない点。
　
５．当審の判断
　上記相違点について検討する。
＜相違点１についての検討＞
　使用者が入力する指の動きから入力したキーを他人に知られることがないようにするために、入力キーの表示順序を変更する情報入力装置において、入力キーの表示順序を変更するための専用のキー（本願発明の「スクランブルキー」に相当。）を設けることは、原査定において周知文献として示された特開昭６２−２４２２１９号公報（特に、第２ページ左上欄〜右上欄及び第１図参照。）、同様に示された特開昭４９−１０４５４０号公報（特に、第２ページ右上欄〜左下欄及び第１図参照。）、及び引用例の【０００２】の【従来の技術】で挙げられている特開平３−２５５６９号公報（特に、第２ページ左下欄〜第３ページ左上欄及び第１図参照。）に記載されているように、本願優先日前周知である。そして、入力キーの表示順序を変更するための専用のキーを押して、入力キーの表示順序を変更する時点をいつにするかは、当業者が必要に応じて適宜決定し得る事項であるから、引用発明において、入力キーとは別に入力キーの表示順序を変更するための専用のキーを設ける上記周知技術を適用し、使用者が一以上の情報を入力した後の時点に代えて、使用者が情報を入力する前、若しくは一以上の情報を入力した後、の何れかの時点とすることは、当業者が適宜なし得ることである。
　したがって、複数のキー情報の所定の順序通りに同一円周上に表示するタッチパネルにおいて、この複数の入力キーを、使用者が一以上の情報を入力した後の時点に、複数のキー情報の配列を変化させずに円の周方向に電子的に回転移動して表示する引用発明に対し、入力キーとは別に入力キーの表示順序を変更するための専用のキーを設ける上記周知技術を適用し、使用者が情報を入力する前、若しくは一以上の情報を入力した後、の何れかの時点で、使用者が入力キーとは別に表示されたスクランブルキーを押した場合に、複数のキー情報の配列を変化させずに当該複数の入力キーが表示されている円の周方向に電子的に回転移動して表示されるように構成することは、当業者が容易に想到し得ることである。
　
＜相違点２についての検討＞
　引用発明は、複数の入力キーは回転移動して数字の異なる位置で停止し、入力位置は特定されずに変化しており、引用発明においても、実質的に複数の入力キーは任意のキー情報の数だけ回転移動しているということができる。また、引用発明は、利用者の指の動きを見ただけでは第三者に暗証番号を察知させないために、ダイヤル形の入力キー１１が回転し入力位置は特定されずに変化するものであること（記載事項Ｃ）にかんがみると、引用発明において、複数の入力キーを任意のキー情報の数だけ回転移動するように構成することは、当業者が必要に応じて適宜なし得ることである。
　
　また、本願発明の構成によって生じる効果も、引用発明及び周知技術から当業者が予測できるものである。
　
　したがって、本願発明は、引用発明及び周知技術に基づいて当業者が容易に発明をすることができたものである。
　
６．むすび
　以上のとおり、本願発明は、引用発明及び周知技術に基づいて、当業者が容易に発明をすることができたものであるから、他の請求項について検討するまでもなく、本願は、特許法第２９条第２項の規定により特許を受けることができない。
　よって、結論のとおり審決する。